(57)【要約】【課題】  しゃぼん玉生成器の違いに関わらず、十分なしゃぼん玉を生成する優れたしゃぼん玉液組成物を提供する。【解決手段】  特定の両性界面活性剤と特定のカチオン化セルロースとグリセリンおよび/またはグリコールとを含有することを特徴とするしゃぼん玉液組成物である。【選択図】  なし【特許請求の範囲】
【請求項１】
1種または2種以上のベタイン型両性界面活性剤とカチオン化セルロースとグリセリンおよび/またはグリコールとを含有することを特徴とするしゃぼん玉液組成物。
【請求項２】
重量平均分子量３０万〜１３０万であるカチオン化セルロース０．３〜０．８重量％を含有することを特徴とする請求項1に記載のしゃぼん玉液組成物。
【請求項３】
０．７〜５．０重量％のグリセリンおよび/またはグリコールを含有することを特徴とする請求項１または２に記載のしゃぼん玉液組成物。
【発明の詳細な説明】
【技術分野】
【０００１】
本発明は、しゃぼん玉生成器の違いに関わらず、十分なしゃぼん玉を生成する優れたしゃぼん玉液組成物を提供するものである。
【背景技術】
【０００２】
しゃぼん玉は子供の遊び道具として古くから用いられているおもちゃの１つである。以前は、家庭で洗剤を薄めた液を用い、ストローを使ったしゃぼん玉遊びが主流であったが、近年の子供を中心とした生活スタイルへの変化に合わせ、しゃぼん玉遊びも電動の専用生成器が発売されるようになり、その生成器の種類も多種多様である。また、しゃぼん玉液についても生成器同様、様々なタイプが市販されるようになっている。
【０００３】
そんな中、しゃぼん玉用の液でも子供の遊び道具という観点から、安全性と楽しさに着目した組成物が開発され、安全性を目的としているものとして、脂肪酸と多価アルコールのエステルからなるシャボン玉液およびシャボン様食品（特許文献１参照）、楽しさの中でも特に色を目的としているものとして、顔料からなるシャボン玉溶液（特許文献２参照）、また、できたしゃぼん玉にふれても壊れないことを目的としているものとして、水溶性セルロースエーテル、界面活性剤からなるシャボン玉用組成物（特許文献３参照）がある。
【特許文献１】特開平１０−３０５１７８公報
【特許文献２】特開２００５−２８０３８公報
【特許文献３】特開２００３−３０１２００公報  しかしながら、これらの方法では電動の生成器を用いた場合、子供のしゃぼん玉遊びを満足させるしゃぼん玉液組成物を得るには不十分であり、ましてや多様な生成器の違いに対応して十分なしゃぼん玉を得ることは非常に困難である。
【発明の開示】
【発明が解決しようとする課題】
【０００４】
本発明は、上記のような実情から、子供がしゃぼん玉で遊ぶ際に使用する生成器の違いに関わらず、十分なしゃぼん玉を生成する優れたしゃぼん玉液組成物を提供することを課題とする。
【課題を解決するための手段】
【０００５】
本発明者らは、これらの問題を解決すべく、鋭意検討を行った結果、特定の両性界面活性剤と特定のカチオン化セルロースとグリセリンおよび/またはグリコールとを含有し、十分なしゃぼん玉を生成する優れたしゃぼん玉液組成物を提供できることを見出した。
【０００６】
すなわち、本発明は、1種または2種以上のベタイン型両性界面活性剤とカチオン化セルロースとグリセリンおよび/またはグリコールとを含有することを特徴とするしゃぼん玉液組成物を提供することである。
【０００７】
本発明に用いられるベタイン型両性界面活性剤は、下記一般式（I）で表され、
【化１】
2008005887.tif 000002
【０００８】
式中、Ｒ1は炭素数７〜２５のアルキル基またはアシルアミノプロピル基、好ましくは炭素数１０〜１８のアルキル基またはアシルアミノプロピル基を表す。アシルアミノプロピル基のアシル基の炭素数は７〜２５、好ましくは１０〜１８である。
【０００９】
Ｚ1およびＺ2は水素原子、炭素数１〜３のアルキル基または炭素数１〜３のヒドロキシアシル基、ｋは１〜５の整数である。Ｚ１およびＺ２は同一でも異なってもよい。
【００１０】
ベタイン型両性界面活性剤の配合量は、好ましくは１．０〜５．０重量％、より好ましくは２．０〜４．０重量％配合される。この配合量が少なすぎると十分なしゃぼん玉が得られず、多すぎると製造工程に問題が生じ、またその他の成分の配合量が少なくなり好ましくない。
【００１１】
カチオン化セルロースは、第４級アンモニウム等のカチオン性基を導入し、全体としてカチオン性を有するセルロース化合物であり、重量平均分子量３０万〜１３０万であれば特に限定はされず、構造やカチオン化度の異なる１種または２種以上を併用して用いることができる。
【００１２】
カチオン化セルロースの配合量は、０．３〜０．８重量％、好ましくは０．４〜０．７重量％、より好ましくは０．５〜０．６重量％配合される。この配合量が少なすぎると十分なしゃぼん玉が得られず、０．８重量％を超えると、液の粘性が高くなり生成器の違いに対応して十分なしゃぼん玉を得ることが困難になる可能性がある。
【００１３】
本発明によるしゃぼん玉液組成物にはグリセリンおよび/またはグリコールが処方される。グリコールとしては、エチレングリコール、ジエチレングリコール、プロピレングリコール、ジプロピレングリコール等が挙げられる。
【００１４】
グリセリンおよび/またはグリコールは好ましくは０．７〜５．０重量％、より好ましくは１．０〜３．０重量％配合される。グリセリンおよび/またはグリコールの配合量は少なすぎると安定性に問題を生じ、十分なしゃぼん玉が得られず、多すぎると十分なしゃボン玉が得られない可能性がある。
【００１５】
本発明の組成物には必要に応じて、香料、色素、その他目的に応じた添加物（以下、任意添加物という）を適宜な量加えることができる。
【発明の効果】
【００１６】
本発明によれば、子供がしゃぼん玉で遊ぶ際に使用する生成器の違いに関わらず、十分なしゃぼん玉を生成する優れたしゃぼん玉液組成物を提供することができる。
【発明を実施するための最良の形態】
【００１７】
以下、実施例により本発明をより詳細に説明するが、本発明はこれら実施例に限定されるものではない。
【００１８】
まず、実施例で採用した評価方法を説明する。
【００１９】
《しゃぼん玉生成確認テスト》
i)しゃぼん玉生成時間
電動のしゃぼん玉生成器を用いて、しゃぼん玉を生成し、しゃぼん玉が出始めてから全てのしゃぼん玉が消えるまでの時間を計測する。
【００２０】
市販電動しゃぼん玉生成器：ＰＬＡＣＯ Ｂｕｂｂｌｅｓ  （株式会社  メガハウス）
しゃぼん玉用液組成物濃度：原液
しゃぼん玉生成時間確認テストの判定基準  ◎：しゃぼん玉が出始めてから全てのしゃぼん玉が消えるまでの時間が２０秒以上。○：しゃぼん玉が出始めてから全てのしゃぼん玉が消えるまでの時間が１３秒以上２０秒未満。△：しゃぼん玉が出始めてから全てのしゃぼん玉が消えるまでの時間が７秒以上１３秒未満。×：しゃぼん玉が出始めてから全てのしゃぼん玉が消えるまでの時間が７秒未満。
【００２１】
《しゃぼん玉生成確認テスト》
ii)しゃぼん玉量
電動のしゃぼん玉生成器を用いて、しゃぼん玉を生成し、生成したしゃぼん玉量を目視判定する。
【００２２】
市販電動しゃぼん玉生成器：ＰＬＡＣＯ Ｂｕｂｂｌｅｓ  （株式会社  メガハウス）
しゃぼん玉用液組成物濃度：原液
しゃぼん玉量確認テストの判定基準  ◎：しゃぼん玉が４０個以上生成された。○：しゃぼん玉が３０個以上４０個未満生成された。△：しゃぼん玉が２０個以上３０個未満生成された。×：しゃぼん玉が２０個未満生成された。
【００２３】
《安定性テスト》
しゃぼん玉液組成物原液を２本のガラスびんに充填後、２つの低温器に配置し、1ヶ月後の状態を目視観察することにより低温時の安定性を評価した。
【００２４】
配置場所  −５℃：２４時間定温、  −５℃〜５℃：８時間毎に−５℃、０℃、５℃を循環
安定性テストの判定基準  ○：低温放置品で、問題がみられなかった。△：低温放置品で、問題が発生した数が１であった。×：低温放置品で、問題が発生した数が２以上であった。ここで「問題」とは、液分離、凍結、濁り等を示す。
【００２５】
表１および２に示した組成のしゃぼん玉液組成物を調整し、しゃぼん玉生成確認テストi)およびii)、安定性テストを行った。
【表１】
2008005887.tif 000003
【表２】
2008005887.tif 000004
【００２６】
界面活性剤Ａ：ベタイン型両性界面活性剤
【化２】
2008005887.tif 000005
【００２７】
Ｒ1  ：R2-CONH-（CH2）3-          
Ｒ2  ：Ｃ10〜18
Z1,Z2  :H
ｋ  ：1
界面活性剤Ｂ：陰イオン界面活性剤
Ｒ3-（C6H4）-SO3Ｎａ      ・・・（II）
Ｒ3  ：Ｃ8〜22
セルロースＡ  ：カチオン化セルロース（重量平均分子量３０万〜１３０万）  
セルロースＢ  ：ヒドロキシプロピルメチルセルロース（重量平均分子量１万〜２０万）